(57)【特許請求の範囲】
【請求項１】
電動送風機と、該電動送風機の後部から側部を覆い正面が開口した略円筒形状のケースと、前記電動送風機と前記ケースとの気密確保のための気密部材と、該気密部材を係止する円環状の係止部材と、を備え、該気密部材は外周又は内周に円環状の気密部材リブを有し、該ケースは上面に円環状のケースリブを有し、前記係止部材と前記ケースリブとで前記気密部材リブを挟持することを特徴とする電動送風機ケース組み。
【請求項２】
請求項１に記載の電動送風機ケース組みにおいて、
前記係止部材と前記ケースリブのうちの一方は凸部を有し、前記係止部材又は前記ケースリブのうちの他方は前記凸部に嵌る凹部を有していることを特徴とする電動送風機ケース組み。
【請求項３】
請求項１又は２に記載の電動送風機ケース組みにおいて、
前記係止部材は、半径方向に向かう縦リブを有することを特徴とする電動送風機ケース組み。
【請求項４】
掃除機本体と、該掃除機本体に接続されるホースと、該ホースに接続される延長管と、該延長管に接続される吸口体と、を有し、前記掃除機本体内部に請求項１乃至３の何れか一項に記載の電動送風機ケース組みを備えることを特徴とする電気掃除機。
【発明の詳細な説明】
【技術分野】
【０００１】
本発明は、電気掃除機に関するものである。
【背景技術】
【０００２】
従来より、電気掃除機においては、内蔵する電動送風機の振動が、電気掃除機本体、大気へと伝播し発生する振動騒音の問題が知られている。振動騒音への対策としては、振動源である電動送風機からの振動の発生を抑える方法と、電動送風機からの振動の伝播を低減する方法がある。電動送風機からの振動の伝播を低減する方法として、振動を抑える振動防止部と電動送風機の吸気側及び排気側の気密を取る気密部を別々の形状で実現する構造がある（特許文献１参照）。
【先行技術文献】
【特許文献】
【０００３】
【特許文献１】特開２０１２−１６３６３号公報
【発明の概要】
【発明が解決しようとする課題】
【０００４】
一方、排気がきれいなこと及び電気掃除機の騒音は、電気掃除機に対する要望として高い。しかるに上記特許文献１に記載の従来技術には、以下のような課題がある。
【０００５】
特許文献１に記載の構造では、主として振動を抑える振動防止部と電動送風機の吸気側及び排気側の気密を取る気密部を別々の形状にする構造にしている。そのため、部品点数が多くなっている。
【０００６】
また、電気掃除機本体の小型も要望されており、電動送風機を横向きに位置させることもある。
【０００７】
電動送風機を横向きに位置させた場合においても、きれいな排気を提供する電気掃除機は電動送風機の下流側にＵＬＰＡフィルタ（高集塵フィルタ）を設けることが一般的である。ＵＬＰＡフィルタ（高集塵フィルタ）は、流路抵抗であるため電動送風機を内蔵するケースの圧力を上昇させる。これを実現させる場合、従来の構造では電動送風機の吸気側と排気側で防振ゴムとシール材で気密を確保しなければならないため、数種類のシール材で気密を保たせるため部品点数が多くなりコストも上昇してしまう。
【０００８】
そこで本発明では、振動を抑える振動防止部と電動送風機の吸気側及び排気側の気密を取る構造を有しながら部品点数を抑えた電気掃除機を提供することを目的にある。
【課題を解決するための手段】
【０００９】
本発明は、気密を確保する為に気密部材は外側又は内側に円環状の気密部材リブを有し、電動送風機を覆うケースは正面に円環状のケースリブを有し、係止部材とケースリブとで気密部材リブを挟持することを特徴とする
【発明の効果】
【００１０】
本発明によれば、振動を抑える振動防止部と電動送風機の吸気側及び排気側の気密を取る構造を有しながら部品点数を抑えた電気掃除機を提供することができる。
【図面の簡単な説明】
【００１１】
【図１】本発明の実施形態に係る電気掃除機の外観斜視図である。
【図２】本発明の実施形態に係る掃除機本体の縦断面図である。
【図３】本発明の実施形態に係る電動送風機組みの縦断面図である。
【図４】図３の拡大断面図である。
【図５】本発明の実施形態に係る電動送風機組みの分解図である。
【図６】本発明の実施形態に係る係止部材の正面図である。
【発明を実施するための形態】
【００１２】
図１は、本発明の実施形態に係る電気掃除機の外観斜視図である。
【００１３】
図１に示すように、電気掃除機１０１は、電気掃除機本体１０２と、手元操作スイッチ等が設けられている操作部を有するホース１０３と、伸縮する継手管としての延長管１０４と、塵埃を最初に吸込む吸口１０５を備えている。吸口１０５は延長管１０４に、延長管１０４はホース１０３に、ホース１０３は電気掃除機本体１０２へ各々接続する構成となっている。また、ホース１０３に吸口１０５を接続しても良く、吸口１０５と延長管１０４は接続しなくても良い。
【００１４】
図２は、本発明の実施形態に係る掃除機本体の縦断面図である。
【００１５】
図２に示すように、電気掃除機本体１０２内の前側に集塵室２０１が区画されると共に、後側に電動送風機室２０７が区画されている。この集塵室２０１と電動送風機室２０７とは、フィルタ２１６を介して連通している。
【００１６】
集塵室２０１には、紙パック２０４(図示せず)が収納されている。この紙パック２０４の開口は、ホース１０２（図１参照）が接続されるホース継ぎ手２０５側に位置するように配置されている。
【００１７】
なお、本実施形態の電気掃除機１０１では、紙パック２０４を使用する方式について説明しているが、本発明はサイクロン方式のものであってもよい。ちなみに、サイクロン方式の電気掃除機は、集塵室２０１に対応する部分にサイクロン室が形成されることとなる。
【００１８】
電動送風機室２０７には、電動送風機２０２が収納されている。この電動送風機２０２は、その前側に形成された吸入口２０６から空気が取り込まれＵＬＰＡフィルタ（高集塵フィルタ）２１０を介して排気される。
【００１９】
図２に示すように、クリーン排気の電気掃除機本体１０２の外郭を形成する本体ケース２０１は、上本体ケース２０２、下本体ケース２０３から構成される。本体ケース２０１の内部には、前側に集塵室２０４、後側に電動送風機室２０５が備わる。集塵室２０４の前側には、吸い込むホース１０３が着脱自在に接続されるホース差し込み口２０６が設けられる。上本体ケース２０２には、集塵室２０４を開け閉めする集塵室外蓋２０７が設けられ、この集塵室外蓋２０７を開いて集塵袋２０８の着脱が行われる。
【００２０】
通気性のある格子状の仕切り２０９で、集塵室２０４と電動送風機室２０５は仕切られる。ＵＬＰＡフィルタ（高集塵フィルタ）２１０は、略四角形状の枠体に、ひだ状に折られたフィルタ材が一体に成形されたものである。フィルタ材がひだ状に折られているため、ある程度の大きさ（体積）を有する。ＵＬＰＡフィルタに代えて、ＨＥＰＡフィルタであってもよい。ＨＥＰＡフィルタ（High Efficiency Particulate Air Filter）とは、定格風量で粒径が０.３μｍの粒子に対して９９.９７％以上の粒子捕集率をもち、かつ初期圧力損失が２４５Ｐａ以下の性能を持つエアフィルタである。ＵＬＰＡフィルタ（Ultra Low Penetration Air Filter）は、定格風量で粒径が０.１５μｍの粒子に対して９９.９９９５％以上の粒子捕集率をもち、かつ初期圧力損失が２４５Ｐａ以下の性能を持つエアフィルタであり、ＨＥＰＡフィルタの粒子捕集効率よりも高い粒子捕集効率を有する。
【００２１】
電動送風機２１１は、電動機２１２、送風部２１３を有する。電動機２１２、送風部２１３は電動送風機ハウジングカバー２１４で包囲される。気密部材２１５は、送風部２１３の外周に接合する筒部２１５−１と、送風部２１３の前面外周側に接合する環状鍔部２１５−２を有する。
【００２２】
筒部２１５−１は外周側が電動送風機ハウジングカバー２１４の内周側に嵌る。このため、筒部２１５−１は送風部２１３の外周と電動送風機ハウジングカバー２１４の内周に挟持されるので、電動送風機ハウジングカバー２１４の気密が良く行われる。
【００２３】
このように電動送風機２１１からの排気は全部がＵＬＰＡフィルタ（高集塵フィルタ）２１０で微細な塵埃をもらさず捕集される。捕塵性能の良いクリーン排気の電気掃除機が提供できる。
【００２４】
図３は本実施形態に係る電動送風機ケース組みの中央断面図である。
【００２５】
電動送風機２１１の周りを囲うように前面及び上面が開口したケース３０２を配置し、一端には電動送風機２１１からの排気を排出する開口を設け、開口部には電動送風機２１１から排出される排気と共にカーボン粉等の微細塵埃を捕集するＵＬＰＡフィルタ（高集塵フィルタ）２１０を配設し、前述した通り電動送風機２１１から排出された排気はすべてこの開口からＵＬＰＡフィルタ（高集塵フィルタ）２１０を通って電気掃除機本体１０２の機体外に排出されるものとする。他方のケース３０２の開口には電動送風機２１１が挿入固定され、電動送風機２１１のハウジング（吸気側）３０７には、性能向上のためのベルマウス３０６が取り付けられており、ベルマウス３０６とハウジング（吸気側）３０７を同時に覆うように気密部材３０５が取り付けられている。気密部材３０５は、スポンジ、ゴム等の軟質部材を用いるとより気密を取りやすいため好ましい。また気密部材３０５をケース３０２と固定及び気密を保持するために、円環状の係止部材３０４とケース３０２により気密部材３０５を挟持することによって気密を確保する。この時、気密を確実に確保し、一定の捕集性能を保持するための構造を次に説明する。
【００２６】
図４は本実施形態に係る電動送風機ケース組み３０１の中央断面図の部分拡大図である。
【００２７】
気密部材３０５の外周側に円環状に形成された気密部材リブ４０１とそれを狭持するようにケース３０２の開口部一端に構成された凸部４０３と係止部材３０４のケース３０２側の端部に構成されたケースリブ４０２の端部に形成された円環状に構成された凹部４０４により、気密部材リブ４０１を押しつぶすように狭持され、ケース３０２の開口部一端に構成された凸部４０３とケースリブ４０２の端部に形成された円環状に構成された凹部４０４が軟質部材を使用した気密部材３０５の気密部材リブ４０１を加圧することにより押しつぶし気密を確保確実に確保することができる。凸部４０３及び凹部４０４の寸法（大きさ）及び気密部材リブ４０１の硬度により気密性をコントロールすることが出来る。前述部品の寸法及び材質の選択により電動送風機ケース組み３０１の排気圧力の変化にも十分対応可能となる。ケース３０２及係止部材３０４はねじや勘合つめ、接着等にて勘合及び固定し気密を確保することができる。
【００２８】
図５は、本実施形態に係る電動送風機組みの分解図である。
【００２９】
５０１はねじであり、５０２は係止部材３０４のねじボスであり、５０３はケースのねじボスでする。係止部材３０４と前記ケースリブとで前記気密部材リブをねじボス５０２とねじボス５０３を合わせるように挟持した後にねじ５０１で固定することで気密を確保することができる。挟んだ後に固定することができる方法であればこの限りではない。
【００３０】
図６は、本発明の実施形態に係る係止部材３０４の正面図である。
【００３１】
前記係止部材３０４は、半径方向に向かう縦リブ６０１を有する。この縦リブ６０１により、係止部材３０４の強度を高めることができ、ＵＬＰＡフィルタ（高集塵フィルタ）２１０に塵埃が詰まりケース３０２内の圧力が上昇しても係止部材３０４の変形を抑制して気密を確保できる。また、係止部材３０４は切り欠き部６０２を有しており、誤組立て防止を図っている。
【符号の説明】
【００３２】
１０１    電気掃除機
１０２    電気掃除機本体
１０３    ホース
１０４    延長管
１０５    吸口
２０１    本体ケース
２０２    上本体ケース
２０３    下本体ケース
２０４    集塵室
２０５    電動送風機室
２０６    ホース差し込み口
２０７    集塵室外蓋
２０８    集塵袋
２０９    格子状の仕切り
２１０    ＵＬＰＡフィルタ（高集塵フィルタ）
２１１    電動送風機
２１２    電動機
２１３    送風機
２１４    電動送風機ハウジングカバー
２１５    気密部材
２１５-１ 筒部
２１５-２ 環状鍔部
３０１    電動送風機ケース組み
３０２    ケース
３０３    排気用ダクト
３０４    係止部材
３０５    気密部材
３０６    ベルマウス
４０１    気密部材リブ
４０２    ケースリブ
４０３    凸部
４０４    凹部
５０１    ねじ
５０２    係止部材のねじボス
５０３    ケースのねじボス
６０１    縦リブ
６０２    切り欠き
【図１】
0005948282.tif 000002
【図２】
0005948282.tif 000003
【図３】
0005948282.tif 000004
【図４】
0005948282.tif 000005
【図５】
0005948282.tif 000006
【図６】
0005948282.tif 000007